(57)【要約】【課題】表示ユニットを良好に保持できる強度を確保しつつ、薄型化を図ること。【解決手段】液晶表示部２１１を駆動する表示駆動部２１３を備える平板状の表示ユニット２００が、金属製の背板１６０を介して第１筐体１１０に取り付けられる。背板１６０は、所定幅を有する一端部を、背板１６０の裏面側でロール状に複数折り返すことによって形成された補強部１８０を備える。補強部１８０は、表示駆動部２１３の水平投影面積を含む位置に配置されており、表示駆動部２１３を補強して表示駆動部２１３に応力が集中することを防止する。【選択図】図３
2011090096.tif 000002
【特許請求の範囲】
【請求項１】
表示部を備える平板状の表示ユニットと、
表面に前記表示ユニットが載置される金属製の背板と、
前記背板が取り付けられる筐体と、
を具備し、
前記背板は、所定幅を有する一端部を前記背板の裏面側で複数折り返すことによって形成され、且つ、複数の折り返した部分が裏面側で積層してなる補強部を備える、
携帯端末装置。
【請求項２】
前記補強部は、前記背板の一端部をロール状に複数折り返してなる、
請求項１記載の携帯端末装置。
【請求項３】
前記背板には、前記表示ユニットから導出されるフレキシブル基板を挿入する矩形状の挿入孔が形成され、
前記補強部は、前記挿入孔の長手方向に延びる一辺部に沿って、前記一辺部を規定する縁部に設けられている、
請求項１記載の携帯端末装置。
【請求項４】
前記補強部は、前記挿入孔における長手方向の中央部を跨ぐように設けられている、
請求項３記載の携帯端末装置。
【請求項５】
前記補強部は、前記挿入孔の前記一辺部と略同じ長さを有する、
請求項３記載の携帯端末装置。
【請求項６】
前記表示ユニットは、前記表示部を駆動する表示駆動部を備え、
前記補強部は、前記背板において、前記表示駆動部の水平投影面積を含む位置に形成されている、
請求項１記載の携帯端末装置。
【請求項７】
前記補強部は、前記背板の一端部を葛折りすることによって複数の折り返した部分が裏面方向に積層してなる、
請求項１記載の携帯端末装置。
【発明の詳細な説明】
【技術分野】
【０００１】
本発明は、表示部を備える携帯電話などの携帯端末装置に関する。
【背景技術】
【０００２】
従来、携帯電話等の無線携帯端末装置（以下、携帯端末装置）の表示部としては、液晶パネル及びバックライトを備える液晶表示ディスプレイ(liquid crystal display:LCD)等の平板状表示ユニットが広く用いられている。
【０００３】
例えば、ＬＣＤは、複数の液晶セルが挟まれたガラス基板と、ガラス基板の端部で張り出す部分に構成された液晶駆動用ＩＣとを有する液晶表示モジュールの背面側に、液晶表示モジュールに光を照射するバックライトモジュールを対向配置してなる。
【０００４】
このように構成されたＬＣＤなどの平板状表示ユニットは、例えば、携帯電話では、携帯電話の筐体に設けられた平坦部分に載置されることによって搭載される。
【０００５】
一般的に、携帯電話に搭載される平板状表示ユニットは、筐体において、通話相手の音声を発音するスピーカが搭載される面に配置して表示部を構成しており、ユーザーが携帯電話を使用する際に、耳を押し付ける等、表示部近傍に衝撃が加わる可能性がある。
【０００６】
この衝撃によって、表示部を構成する平板状表示ユニットでは、ガラス基板上に構成される液晶駆動用ＩＣに応力集中が発生する可能性がある。このため、例えば、特許文献１では、ガラス基板を金属製のフレーム上に配置し、フレームにおいて、液晶駆動用ＩＣ或いはガラス基板の張り出す部分に対応する位置を加工してブリッジを形成する等して、ＬＤＣ自体の強度を高めている。
【先行技術文献】
【特許文献】
【０００７】
【特許文献１】特開２００９−９８２０号公報
【発明の概要】
【発明が解決しようとする課題】
【０００８】
近年、携帯電話などの携帯端末では、液晶表示ユニットを備えた構成において、更なる低消費電力化、軽量化とともに薄型化が望まれている。
【０００９】
これに対応して、特許文献１に示す従来の構成では、ブリッジ部は、フレームにおいて、ガラス基板の張り出す部分の裏面側に位置する金属底面部分を載置面側に断面コ字状に屈曲することによって形成される。つまり、ブリッジ部では、底面部分から立ち上がる立ち上がり部の上端部に架設された平板部によって、底面部分よりも上方でガラス基板の張り出し部分を受けて応力集中を減少させる構成であるため、立ち上がり部分の立ち上がる高さ分、液晶表示ユニット自体が厚くなる。また、特許文献１の立ち上がり部には凹部が形成され、この凹部が立ち上がり部を補強している。このため、立ち上がり部は、凹部が形成される領域を確保するための所定の立ち上がり長を確保する必要があり、液晶表示ユニットの一層の薄型化を困難にしている。
【００１０】
本発明は、かかる点に鑑みてなされたものであり、表示ユニットを良好に保持できる強度を確保しつつ、薄型化を図ることができる携帯端末装置を提供することを目的とする。
【課題を解決するための手段】
【００１１】
本発明の携帯端末装置の一つの態様は、表示部を備える平板状の表示ユニットと、表面に前記表示ユニットが載置される金属製の背板と、前記背板が取り付けられる筐体と、を具備し、前記背板は、所定幅を有する一端部を前記背板の裏面側で複数折り返すことによって形成され、且つ、複数の折り返した部分が裏面側で積層してなる補強部を備える構成を採る。
【発明の効果】
【００１２】
本発明によれば、表示ユニットを良好に保持できる強度を確保しつつ、薄型化を図ることができる携帯端末装置することができる。
【図面の簡単な説明】
【００１３】
【図１】本発明の一実施の形態に係る携帯端末装置を示す斜視図
【図２】図１に示す携帯端末装置において表示部を備える第１筐体の分解斜視図
【図３】図１に示す携帯端末装置のＡ−Ａ線断面図
【図４】本実施の形態に係る携帯端末装置における補強部の模式図
【図５】撓みに対する強度を説明するための模式図
【図６】本実施の形態に係る携帯端末装置における補強部の変形例の模式図
【発明を実施するための形態】
【００１４】
以下、本発明の実施の形態について、図面を参照して詳細に説明する。
【００１５】
図１は、本発明の一実施の形態に係る携帯端末装置１００を示す斜視図である。なお、本実施の形態では、携帯端末装置１００を携帯電話機として説明するが、これに限らず、表示部を備える携帯端末装置であれば、どのような電子機器にも適用できる。
【００１６】
図１に示す携帯端末装置１００は、折り畳み式の携帯電話機である。携帯端末装置１００では、表示面１１２を有する第１筐体１１０に、操作部１３０を有する第２筐体１４０が連結部１５０を介して回動自在に連結されている。なお、携帯端末装置１００は、表示部を備える携帯電話機であれば、スライド式、ストレート型の携帯電話機としてもよい。
【００１７】
第２筐体１４０には、折り畳まれた第１筐体１１０が載置される表面１４２に、操作部１３０が配置されている。一方、第１筐体１１０には、折り畳まれた際に、第２筐体１４０の表面１４２と対向する面（表示面１１２に相当）で、表示面１１２を構成する透明な表示パネル１１４を介して表示する表示ユニット２００（図２及び図３参照）が配置されている。なお、第２筐体１４０の表面１４２にはユーザの音声を集音するマイクが配置され、第１筐体１１０の表示面１１２には、図示しないスピーカが配置され、通話相手からの音声を発音する。
【００１８】
図２は、図１に示す携帯端末装置において表示部を備える第１筐体の分解斜視図であり、図３は、図１に示す携帯端末装置のＡ−Ａ線断面図である。
【００１９】
図２に示すように、携帯端末装置１００（図１参照）では、第１筐体１１０には、矩形枠状に形成された筐体枠部１１５に、金属製の背板１６０を取り付け、この背板１６０上に、表示部２１１を備える表示ユニット２００が搭載されている。第１筐体１１０では、筐体枠部１１５は、箱状の筐体本体１１３の開口側に取り付けられる。
【００２０】
表示ユニット２００は、平板状をなし、ここでは、表示ユニット２００を、表示部２１１が液晶モジュールによって形成された液晶表示ユニットとして説明するが、これに限らず、表示部にＥＬ素子を用いた有機ＥＬ表示ユニットとしてもよい。
【００２１】
表示ユニット２００は、ガラスに挟まれてなる複数の液晶セルを備える表示部（以下、「液晶表示部」という）２１１と、液晶表示部２１１において下面側のガラスの張り出した端部（有効表示領域から張り出した部分）である張り出し端部２１１ａに形成された表示駆動部（ここでは、液晶表示駆動部（液晶表示駆動用ＩＣ））２１３とを有する表示モジュール２１０を備える。表示モジュール２１０は、液晶表示部２１１の一方の面を表示面２１１ｂとする面状をなしている。表示ユニット２００は、この表示モジュール２１０と、表示モジュール２１０における液晶表示部２１１の背面に取り付けられ、且つ、液晶表示部２１１を照射するバックライトモジュール２２０とを有する。
【００２２】
液晶表示部２１１は、ここでは、矩形板状をなし、表示面２１１ｂと反対側の面（背面）側に対向配置されたバックライトモジュール２２０の面発光によって光が照射される。
【００２３】
図３に示すように、バックライトモジュール２２０は、液晶表示部２１１の背面に、液晶表示部２１１における有効表示領域を覆うように配置される矩形状の導光板２２２を有する面発光部と、面発光部とともに液晶表示部２１１を保持するバックライトフレーム部２２４とを有する。
【００２４】
面発光部における導光板２２２は、ここでは、液晶表示部２１１の背面に、その全面に渡って取り付けられ、面発光する導光板２２２の側端面に配置されたＬＥＤ等の発光素子２２６から内部に照射される光により面発光する。なお、導光板２２２において、液晶表示部２１１に対向する面（表面）の全面に渡って順に拡散シート、プリズムシート（集光シート）、リムシート等を積層してもよい。また、拡散シートは、入射される光を透過し且つ拡散するものであり、プリズムシートは、入射された光の進行方向を、発光面に対して直交する方向に合わせて出力するものである。さらに、リムシートは、遮光性を有する両面粘着テープであり、導光板２２２の出射光が液晶表示部２１１の有効表示領域（画像が表示される領域）を照射するように形成されている。これにより、導光板２２２を含むバックライトモジュール２２０は、リムシートを介して液晶表示部２１１に一体的に貼着されている。
【００２５】
また、表示ユニット２００では、液晶表示部２１１の張り出し端部２１１ａに形成された表示駆動部（ここでは、「液晶表示駆動部」）２１３に、図示しないメイン基板に接続されるＦＰＣ（Flexible printed circuit）２１５の端部２１５ａが接続されている。なお、ＦＰＣ２１５の一端部２１５ａには、液晶表示部２１１を駆動する液晶駆動部２１３の他に、発光素子２２６等が電気的に接続されている。
【００２６】
ＦＰＣ２１５は、表示ユニット２００の一端部（張り出し端部２１１ａ）側において、一端部の表面側の縁部から背面側に延在し、一端部を覆うように折曲され、筐体枠部１１５に形成されたＦＰＣ通し孔（挿入孔）１１６を通して、第１筐体１１０（詳細には筐体本体１１３）内に導出される。これにより、ＦＰＣ２１５は、第１筐体１１０内に配置される図示しないメイン基板に接続される。
【００２７】
背板１６０は、筐体枠部１１５の枠状部分に裏面側から取り付けられており、一端辺部が、筐体枠部１１５のＦＰＣ通し孔１１６の一辺に沿うように配置されている。
【００２８】
ＦＰＣ通し孔１１６は、筐体枠部１１５において、連結部を介して第２筐体に連結される端部を基端部とすると、先端側の一端辺部に沿って形成されている。ＦＰＣ通し孔１１６の規制する基端部側の縁部１１５ａは、背板１６０の端辺部（一端部）１６１を、複数折り曲げることによって形成された補強部１８０によって補強されている。補強部１８０は、背板１６０の一部が背板１６０の裏面側で、板厚方向に複数重なるように形成されている。
【００２９】
ここでは、補強部１８０は、矩形状の背板１６０において、ＦＰＣ通し孔１１６の長手方向の辺部と同じ長さを有する一端部を、表示ユニット２００とは反対側でロール状に複数折り返すことによって形成されている。
【００３０】
補強部１８０は、第１筐体１１０の短辺方向に延在し、且つ、折り返した部分が積層することによって所定の厚みを有する細長い平板状に形成されている。
【００３１】
補強部１８０は、背板１６０に載置される表示ユニット２００の表示駆動部２１３の背面側投影部分、つまり水平投影面積を含む位置に配置されている。また、補強部１８０は、ＦＰＣ通し孔１１６の開口縁において、ＦＰＣ通し孔１１６の幅方向の中心（長手方向の中心部）を跨ぐように背板１６０に形成されている。
【００３２】
補強部１８０は、図３に示すように、ＦＰＣ通し孔１１６近傍（ＦＰＣ通し孔１１６の長辺側の開口縁である縁部１１５ａ）において、表示駆動部２１３の載置領域Ｂと重なる位置に配置され、ここでは、補強部１８０の配置領域Ｃ内に、表示駆動部２１３の配置領域Ｂが含まれる。補強部１８０は、表示駆動部２１３の配置領域Ｂ＜補強部の配置領域Ｃとなるように、背板１６０の端部を複数折り返して、板部分（折り返した部分）を所定長で複数重ねる、つまり積層することによって、背板１６０に形成される。
【００３３】
具体的には、補強部１８０は、背板１６０の一端部を、背板１６０において表示ユニット２００が載置される面と反対側の面側に折り返し、折り返した部分が、表示駆動部２１３の幅（表示駆動部２１３の配置領域Ｂの長さ）より長くなる部分で再び折り返すことによって形成される。
【００３４】
ここでは、再び折り返した部分を先の折り返し部分と背板１６０との間に位置させることによってロール状に形成している。
【００３５】
図４は、本発明の一実施の形態に係る携帯端末装置の補強部の模式図である。
【００３６】
図４に示すように補強部１８０では、背板１６０を複数折り曲げることによって曲げ高さＨ、ｈを確保している。これは図５に示すように幅ｂ、高さｈの長方形状の断面Ｄにおける断面２次モーメントＩ＝ｂｈ３／１２の式から、板厚（ｂに相当）を厚くするよりも、曲げ高さＨ、ｈを確保する方が３乗で効き、強度アップが効果的に図れるからである。
【００３７】
なお、補強部１８０は、背板１６０の一部をロール状に折り返すことにより形成する構成としたが、これに限らない。
【００３８】
携帯端末装置１００の第１筐体１１０（図３参照）の背板１６０（図３参照）には、補強部が形成された位置で、背板１６０の一部を、表裏面が向く方向の一方向に折り返し部分が３つ以上積層するように複数折り返す（葛折りする）ことによって形成した補強部（図６参照）１９０が設けられてもよい。
【００３９】
図６に示す補強部１９０は、折り返して重なる部位の折られた両端部において、曲げ高さｈ、ｈを確保することができ、これにより、補強部１９０自体の強度を増加させている。
【００４０】
これにより、補強部１８０、１９０は、筐体枠部１１５の通し孔１１６近傍を補強するとともに、表示駆動部２１３の全体を補強する。
【００４１】
従来の構成では、表示ユニットにおいて、液晶駆動用ＩＣが実装されるガラス基板において、ＦＰＣが延出される張り出し部分では、第１筐体側にＦＰＣを通すＦＰＣ通し孔が形成されるため、強度確保が難しい。
【００４２】
しかし、本実施の形態の携帯端末装置１００では、ＦＰＣ通し孔１１６の近傍で、ＦＰＣ通し孔１１６の長手方向（幅方向）に沿って補強部１８０、１９０が形成される。補強部１８０、１９０は、ＦＰＣ通し孔１１６の開口縁において、ＦＰＣ通し孔１１６の幅方向の中心（長手方向の中心部）を跨ぐように背板１６０に形成される。このため、ＦＰＣ通し孔１１６の開口縁部分の強度を確保できる。
【００４３】
また、補強部１８０、１９０は、搭載される表示ユニット２００の表示駆動部（表示駆動用ＩＣ）２１３と重なる位置で、且つ、表示駆動用ＩＣの水平投影面積を含む領域に形成されるため、表示駆動部（表示駆動用ＩＣ）２１３の撓みを小さくして、応力集中を減少させることができる。さらに、補強部１８０、１９０は、表示ユニット２００が載置される背板１６０の一部を、表示ユニット２００を載置する面と反対側に複数折り返すだけで、複数の折り返す部分での曲げの高さを有する長尺の板状体として形成される。よって、背板を立ち上がる加工を行って補強部分を構成する構成と比べて、立ち上がり長を確保する加工を行う必要がなく、容易に強度の向上を図ることができる。
【００４４】
これにより、ユーザが携帯端末装置１００を使用する際に、第１筐体１１０の表示面１１２に耳を押し付ける等して、表示パネル１１４を介して表示ユニット２００に衝撃が加わる場合でも、表示駆動部２１３及び張り出し端部２１１ａにかかる筐体変形（撓み）量が低減されて、応力集中が緩和される。よって、表示ユニット２００を良好に保持できる強度を確保しつつ、薄型化を図ることができる。
【００４５】
なお、本実施の形態では、背板が支持する表示部を構成する表示ユニットは、液晶表示ユニットとしたが、有機ＥＬ(Organic Electro-Luminescence)表示ユニットとしてもよい。この場合、補強部１８０、１９０は、表示駆動部２１３としての液晶表示駆動部（液晶表示駆動用ＩＣ）を補強する場合と同様に、有機ＥＬ表示駆動用ＩＣの配置領域の水平投影領域を含むように配置して、有機ＥＬ駆動用ＩＣを補強する。また、液晶表示ユニットに変えて有機ＥＬ表示ユニットにする場合、バックライトモジュールが不要となるため、一層の薄型化を図ることができる。
【産業上の利用可能性】
【００４６】
本発明に係る携帯端末装置は、表示ユニットを良好に保持できる強度を確保しつつ、薄型化を図ることができる効果を有し、携帯電話機として有用である。
【符号の説明】
【００４７】
１００  携帯端末装置
１１０  第１筐体
１１２  表示面
１１３  筐体本体
１１５  筐体枠部
１１６  通し孔
１４０  第２筐体
１６０  背板
１６１  一端部
１８０、１９０  補強部
２００  表示ユニット
２１１  液晶表示部
２１３  表示駆動部
【図１】
2011090096.tif 000003
【図２】
2011090096.tif 000004
【図３】
2011090096.tif 000005
【図４】
2011090096.tif 000006
【図５】
2011090096.tif 000007
【図６】
2011090096.tif 000008